(57)【要約】【課題】簡易な構造であっても、強度の高いチルド室の蓋を備えた冷蔵庫を提供する。【解決手段】貯蔵室と、前記貯蔵室に設置されたチルド室と、を備え、前記チルド室は、前面に開口部が形成された収納部と、前記開口部を覆う蓋と、を有し、前記収納部の開口部の左右両側には、案内部が設けられた冷蔵庫において、前記蓋は、前面に設けられて左端から右端まで一体的に延びるカバー部と、前記カバー部の左右両側に設けられて前記カバー部の回動に伴い前記案内部に沿って摺動する摺動部と、を備え、前記カバー部の左右方向中央の内面には、使用者が掴んで操作する操作部を一体的に形成する。【選択図】図４
2019132505.tif 000002
【特許請求の範囲】
【請求項１】
貯蔵室と、前記貯蔵室に設置されたチルド室と、を備え、
前記チルド室は、前面に開口部が形成された収納部と、前記開口部を覆う蓋と、を有し、
前記収納部の開口部の左右両側には、案内部が設けられた冷蔵庫において、
前記蓋は、前面に設けられて左端から右端まで一体的に延びるカバー部と、前記カバー部の左右両側に設けられて前記カバー部の回動に伴い前記案内部に沿って摺動する摺動部と、を備え、
前記カバー部の左右方向中央の内面には、使用者が掴んで操作する操作部が一体的に形成されていることを特徴とする冷蔵庫。
【請求項２】
請求項１において、
前記蓋の本体の正面側は、前記カバー部が回動する空間を形成する凹状部を有しており、この凹状部が左端から右端まで延びていることを特徴とする冷蔵庫。
【請求項３】
請求項１において、
前記カバー部は、不透明な樹脂で形成されており、
前記蓋の本体の背面側には、触媒を収納するケースが取り付けられていることを特徴とする冷蔵庫。
【発明の詳細な説明】
【技術分野】
【０００１】
本発明は、冷蔵庫に関する。
【背景技術】
【０００２】
冷蔵庫では、チルド室を備えたものが提案されている。例えば、下記特許文献１では、前面に開口部が形成された収納部と、この開口部を開閉する蓋と、開口部の左右両側において蓋を収納部にロックするロック機構と、を備えた冷蔵庫が開示されている。
【先行技術文献】
【特許文献】
【０００３】
【特許文献１】特開２０１７−３６８７４号公報
【発明の概要】
【発明が解決しようとする課題】
【０００４】
しかしながら、特許文献１に記載の冷蔵庫では、蓋側におけるロック構造が、支持部２９、連結部２７および取っ手操作部３６などから構成されており、部品点数が多いため組み立てに時間がかかるただけでなく、強度が低下する要因にもなっていた。
【０００５】
本発明は、前記従来の問題を解決するものであり、簡易な構造であっても、強度の高いチルド室の蓋を備えた冷蔵庫を提供することを目的とする。
【課題を解決するための手段】
【０００６】
本発明は、貯蔵室と、前記貯蔵室に設置されたチルド室と、を備え、前記チルド室は、前面に開口部が形成された収納部と、前記開口部を覆う蓋と、を有し、前記収納部の開口部の左右両側には、案内部が設けられた冷蔵庫において、前記蓋は、前面に設けられて左端から右端まで一体的に延びるカバー部と、前記カバー部の左右両側に設けられて前記カバー部の回動に伴い前記案内部に沿って摺動する摺動部と、を備え、前記カバー部の左右方向中央の内面には、使用者が掴んで操作する操作部を一体的に形成する。
【発明の効果】
【０００７】
本発明によれば、簡易な構造であっても、強度の高いチルド室の蓋を備えた冷蔵庫を提供できる。
【図面の簡単な説明】
【０００８】
【図１】本発明を適用した実施形態の冷蔵庫を前方から見た斜視図である。
【図２】図１のＡ−Ａ線断面概念図である。
【図３】図１のＢ−Ｂ線断面図である。
【図４】チルド室を斜め前上方から見た斜視図である。
【図５】図４に示すチルド室のＣ方向矢視概念図である。
【図６】チルド室蓋が開いている状態を左側面から見た左側面図である。
【図７】(a)は図５のＤ−Ｄ線断面概念図である。(b)はＥ詳細図である。
【発明を実施するための形態】
【０００９】
以下、本発明の実施形態について添付図面を参照して説明する。
【００１０】
図１は、本発明を適用した実施形態の冷蔵庫を前方から見た斜視図であり、図２は、図１のＡ−Ａ線断面概念図である。
【００１１】
図１及び図２に示すように、本実施形態の冷蔵庫１は、最上部に６℃前後の冷蔵温度帯の貯蔵室である冷蔵室２、最下部に６℃前後の冷蔵温度帯の貯蔵室である野菜室５がそれぞれ配置され、冷蔵室２と野菜室５との間には、これらの両室と断熱的に仕切られた０℃以下の冷凍温度帯（例えば、約−２０℃〜−１８℃の温度帯）の冷凍室である製氷室３ａ，急冷凍室３ｂ、および冷凍室４が、図２に示すように、それぞれ仕切り壁ｋ１，ｋ２，ｋ３により区画され配置されている。
【００１２】
冷蔵庫１は、前面に冷蔵室２、製氷室３ａ、急冷凍室３ｂ、冷凍室４および野菜室５の前面開口部を閉塞する断熱構成の扉６〜１０が設けられ、扉６〜１０を除く外周筐体部は、鋼板製の外箱１１と樹脂製の内箱との間に外気との断熱を図るウレタン発泡断熱材及び真空断熱材（図示せず）を有し構成されている。
【００１３】
冷蔵室２の前面開口部を閉塞する冷蔵室扉６（６ａ，６ｂ）は、観音開き式の両開きの扉で構成されており、一方、製氷室３ａの前面開口部を閉塞する製氷室扉７，急冷凍室３ｂの前面開口部を閉塞する急冷凍室扉８、冷凍室４の前面開口部を閉塞する冷凍室扉９、および野菜室５の前面開口部を閉塞する野菜室扉１０は、貯蔵室内の容器がともに引き出される引き出し式の扉によって構成されている。
【００１４】
冷蔵庫１には、上記冷凍および冷蔵を行うための冷凍サイクルが、圧縮機，凝縮器，キャピラリチューブおよび冷媒の気化熱を奪い冷却源となる蒸発器、そして、再び圧縮機の順に接続し構成されている。
【００１５】
この冷却源となる蒸発器は、冷凍室３，４の後方に設置され、送風ファンによって、蒸発器の冷気が、製氷室３ａ、急冷凍室３ｂ、冷凍室４に送られるとともに、冷蔵温度以下になると閉塞する開閉可能なダンパ装置を介して、冷蔵室２および野菜室５の各貯蔵室へと送られている。なお、冷気は、各貯蔵室を冷却した後に循環される冷気の循環構造を有しており、冷蔵室２、製氷室３ａ、急冷凍室３ｂ、冷凍室４および野菜室５が、温度センサを用いた制御装置による温度制御によって、所定の温度に維持されている。
【００１６】
図１のＢ−Ｂ線断面図の図３に示すように、冷蔵室扉６ａは、支軸Ｓ１を中心に回転自在に支持されており、飲み物等を入れるポケット状の半透明の樹脂成型のドア収納６ａ１が内部側に突設されるとともに、その裏面には、ねじりコイルバネの付勢力およびガイドにより揺動自在に構成された回転仕切り６ａ２が設けられている。
【００１７】
この回転仕切り６ａ２は、冷蔵室扉６ａ，６ｂの閉塞時（図１参照）には左側の冷蔵室扉６ａに沿った位置で冷蔵室扉６ａ，６ｂ間からの冷気の漏出を防止し、一方、冷蔵室扉６ａの開放時には冷蔵室扉６ａの厚み方向（二点鎖線で示す）に回動し利用者の邪魔にならにないように構成されている。
【００１８】
また、右側の冷蔵室扉６ｂは、支軸Ｓ２を中心に回動自在に支持されており、飲み物等を入れるポケット状の半透明の樹脂成型のドア収納６ｂ１が内部側に突設されている。
【００１９】
図３に示すチルド室は、チルド温度帯(例えば、約０〜２℃の温度帯)で維持される。
【００２０】
図３に示すように、冷蔵室扉６ｂを閉じた状態において、冷蔵室扉６ｂのドア収納６ｂ１とチルド室１３のチルド室蓋１６との間には、所定のスペースが形成され、互いに接触しないように構成されている。そして、両開き扉の一方の扉である冷蔵室扉６ｂの幅と同じかそれよりも狭い幅の箱状でチルド室１３は構成されている。
【００２１】
図４は、チルド室１３の構成を斜め前上方から見た斜視図である。
【００２２】
チルド室１３は、上面および前面に開口部を有し扁平である奥方に長い略直方体状の外郭部材(収納部)１４と、開口部を覆うものであって内部の貯蔵物を出し入れするために前方および後方に開閉するチルド室蓋１６と、を有している。
【００２３】
外郭部材１４は、ＡＢＳ（アクリロニトリル，ブタジエン，スチレンを含む樹脂）、ＡＳ（アクリロニトリル，スチレンを含む樹脂）等を用いて樹脂成形され、左右側面壁１４ａ，１４ｂ，底面壁１４ｃ，後面壁１４ｄ（図３参照）、および前面壁１４ｅを有した上面および前面を開口した形状に形成されている。
【００２４】
図５は、図４に示すチルド室１３のＣ方向矢視概念図である。
【００２５】
図５に示すように、チルド室蓋１６は、正面視において略長方形状を呈し、かつ、左右方向に細長い形状を呈している。また、チルド室蓋１６の前面には、左端から右端まで一体的に延びるカバー部２６が設けられている。カバー部２６の正面側は、チルド室蓋１６の全幅に亘って平坦な形状をしており、意匠性が良くなっている。チルド室蓋１６の背面には、チルド室蓋１６を閉じた際に、外郭部材１４に当接する内周縁部に弾性材のパッキン１６ｐが配設されており、このパッキン１６ｐが外郭部材１４とチルド室蓋１６間のシールを行っている。
【００２６】
図６は、カバー部２６によりチルド室蓋１６を、外郭部材１４にロックした状態を示す図である。
【００２７】
図６に示すように、カバー部２６の左右両端には、ガイドローラ（摺動部）３１が取り付けられた金属製の支持部２８,２９を有している。一方で、チルド室１３の外側の左右面壁１４ａ,１４ｂには、樹脂成形された曲線状の案内部３０が設けられている。このため、カバー部２６の回動させると、ガイドローラ３１が案内部３０に沿って摺動し、チルド室蓋１６を外郭部材１４に引き付けてロックする。なお、チルド室１３が、減圧ポンプを有する構造の場合、この状態から減圧することで、チルド室蓋１６が更に引き付けられ、パッキン１６ｐが開口部１４ｅに強く押し付けられることで、チルド室蓋１６と外郭部材１４とのシール性が向上する。また、カバー部２６を回動するときには、ガイドローラ３１を案内部３０に対して敢えて強い力で当接するようにし、カバー部２６を操作する使用者に重たい感覚を与え、ロック時のクリック感を付与している。
【００２８】
次に、図５に示すチルド室蓋１６に設けられているカバー部２６の構造について説明する。
【００２９】
カバー部２６は、ＡＢＳを用いて樹脂成形され、チルド室蓋１６の全幅の長さである。このカバー部２６は、その左右方向中央の内面に凹みが形成されており、使用者が掴んで操作する操作部としての役割を果たしている。本実施形態では、この操作部を、カバー部２６の一部として樹脂で一体的に形成したので、簡易な構造であっても、強度が向上する。
【００３０】
特に、カバー部２６の樹脂材に、ガラス繊維が５％以上混在しているため、剛性が高く、操作時に変形する恐れはない。また食材の荷重や減圧により変形が起き難しくなり、密閉性を確保できる。なお、ガラス繊維の割合が５％未満であっても、一定程度の効果は期待できる。また、本実施形態のカバー部２６は、ヒートサイクルで成形するため、成形性が増加し、ヒケなどが正面に生じない。
【００３１】
さらに、本実施形態では、チルド室蓋１６の本体の正面側は、カバー部２６が回動する空間を形成する凹状部３２が形成されており、この凹状部３２が、操作部の位置に対応する真ん中だけでなく、左端から右端まで延びている。このため、    冷蔵室扉６ｂのドア収納６ｂ１とチルド室蓋１６とが干渉し難くなり、ドア収納６ｂ１の容量を増加させることが可能となる。
【００３２】
また、図７に示すように、チルド室蓋１６の本体の背面側には、触媒を収納するケース３５を取り付けることができる。このケース３５内には、チルド室１３内の食品から発生するエチレンガスを二酸化炭素に分解する触媒、具体的にはプラチナやルテニウムなどの遷移金属触媒、が収納されている。
【００３３】
ここで、ケース３５の底面にはリブ３５ｔが設けられており、チルド室蓋１６の裏面に形成された溝１６ｍにリブ３５ｔを挿入することで、ケース３５がチルド室蓋１６に取り付けられる。このケース３５は、チルド室蓋１６と共に前後方向に開閉される容器１７と、チルド室蓋１６の背面側と、の間の見えに難い場所であり、しかも不透明な樹脂で形成されたカバー部２６の裏に隠れているため、正面から見え難い。また、チルド室蓋１６を容器７から取り外さない限り、ケース３５も取り外すのは不可能となっている。したがって、使用者が誤ってケース３５を取り外すことを防止できる。
【００３４】
また、チルド室蓋１６の背面側には、上下方向に延びる複数の補強用リブが設けられており、この補強用リブの間にケース３５を配置することで、チルド室１３内の収納スペースを抑制しないようにしている。さらに、このケース３５の設置場所は、容器１７の外側であるため、結露した水がケース３５に到達し難く、触媒と水との接触によって触媒反応が低下するのも抑制している。一方で、ケース３５がチルド室蓋１６に設置されているため、チルド室蓋１６の開閉動作に伴って触媒が空気と効率よく接触し、触媒反応が活性化する。
【符号の説明】
【００３５】
１３    チルド室
１４    外郭部材（収納部）
１４ａ    左側面壁    
１４ｂ    右側面壁  
１４ｅ  開口部
１６    チルド室蓋
１６ｍ  溝
１７  容器
２６  カバー部
２８  支持部（左）
２９  支持部（右）
３１  ガイドローラ
３０  案内部
３５  ケース
３５ｔ  リブ
【図１】
2019132505.tif 000003
【図２】
2019132505.tif 000004
【図３】
2019132505.tif 000005
【図４】
2019132505.tif 000006
【図５】
2019132505.tif 000007
【図６】
2019132505.tif 000008
【図７】
2019132505.tif 000009